(57)【要約】【課題】シェル同士の安定した接触を確保して接触不良を防ぐことができるコネクタ装置を提供する。【解決手段】プラグコネクタ３のシェル３１に、対向するシールド板部３２１，３２２と、このシールド板部３２１，３２２の両側部を連結するシールド板部３２３，３２４とを設ける。レセプタクルコネクタ５のシェル５１に、シェル３１内にシェル５１が挿入されたときシールド板部３２１，３２２と対向するシールド板部５１１と、このシールド板部５１１の両側部に結合されたシールド板部５１２，５１３とを設ける。シェル５１に、シェル３１内にシェル５１が挿入されたときシールド板部５１２，５１３をシールド板部３２１に押し付ける押圧ばね片３２５を設けた。【選択図】図１
2008300119.tif 000002
【特許請求の範囲】
【請求項１】
第１のハウジングを覆う第１のシェルを有する第１のコネクタと、
第２のハウジングを覆う第２のシェルを有し、前記第１のシェル内に挿入可能な第２のコネクタと
を備えているコネクタ装置において、
前記第１のシェルは、対向する第１、第２のシールド板部と、この第１、第２のシールド板部の両側部を連結する第３、第４のシールド板部とを有し、
前記第２のシェルは、前記第１のシェル内に前記第２のシェルが挿入されたとき前記第１、第２のシールド板部と対向する第５のシールド板部と、この第５のシールド板部の両側部に結合された第６、第７のシールド板部とを有し、
前記第１、第２のシェルの少なくとも一方に、前記第１のシェル内に前記第２のシェルが挿入されたとき前記第６、第７のシールド板部を前記第１のシールド板部に押し付ける押付用ばね手段が、設けられている
ことを特徴とするコネクタ装置。
【請求項２】
前記第６、第７のシールド板部のそれぞれは、前記第１のシールド板部側に向けて突出する接点がそれぞれ設けられていることを特徴とする請求項１記載のコネクタ装置。
【請求項３】
前記押付用ばね手段が、前記第２のシールド板部に施された打抜き、折り曲げによって形成された板ばねであることを特徴とする請求項１又は２記載のコネクタ装置。
【発明の詳細な説明】
【技術分野】
【０００１】
この発明はコネクタ装置に関し、特にシールド性を有するコネクタ装置に関する。
【背景技術】
【０００２】
従来、レセプタクルとプラグとからなるコネクタ装置が知られている（下記特許文献１参照）。
【０００３】
レセプタクルは内側レセプタクルシェルとレセプタクル側シェルとを備える。内側レセプタクルシェルは角筒状である。レセプタクル側シェルは筐体状であり、内側レセプタクルシェルの上面及び両側面を覆う。レセプタクル側シェルと内側レセプタクルシェルとの間には空間が形成される。
【０００４】
プラグは内側プラグシェルとプラグ側シェルとを備える。内側プラグシェルは角筒状であり、内側レセプタクルシェルに挿入される。プラグ側シェルは筐体状であり、内側プラグシェルの上面及び両側面を覆う。プラグ側シェルと内側プラグシェルとの間には空間が形成される。プラグ側シェルはレセプタクル側シェルと内側レセプタクルシェルとの間の空間に挿入される。
【特許文献１】特開２００４−８７４６２号公報（段落００４８〜００５５、図１０〜１７参照）
【発明の開示】
【発明が解決しようとする課題】
【０００５】
上述のコネクタでは、内側プラグシェルは内側レセプタクルシェルと接触するが、この接触は単なる接触であり、一方のシェルから他方のシェルへ弾力を作用させて両シェルの接触を確実に確保する構造を採用してはいない。同様に、プラグ側シェルはレセプタクル側シェルと接触するが、この接触も単なる接触である。
【０００６】
このため、例えばレセプタクルに対してプラグが斜め嵌合したとき、シェル同士の接触を確保できなくなり、接触不良になる虞がある。
【０００７】
この発明はこのような事情に鑑みてなされたもので、その課題はシェル同士の安定した接触を確保して接触不良を防ぐことができるコネクタ装置を提供することである。
【課題を解決するための手段】
【０００８】
前述の課題を解決するため請求項１の発明は、第１のハウジングを覆う第１のシェルを有する第１のコネクタと、第２のハウジングを覆う第２のシェルを有し、前記第１のシェル内に挿入可能な第２のコネクタとを備えているコネクタ装置において、前記第１のシェルは、対向する第１、第２のシールド板部と、この第１、第２のシールド板部の両側部を連結する第３、第４のシールド板部とを有し、前記第２のシェルは、前記第１のシェル内に前記第２のシェルが挿入されたとき前記第１、第２のシールド板部と対向する第５のシールド板部と、この第５のシールド板部の両側部に結合された第６、第７のシールド板部とを有し、前記第１、第２のシェルの少なくとも一方に、前記第１のシェル内に前記第２のシェルが挿入されたとき前記第６、第７のシールド板部を前記第１のシールド板部に押し付ける押付用ばね手段が、設けられていることを特徴とする。
【０００９】
上述のように、第１のシェル内に第２のシェルが挿入されたとき、押付用ばね手段によって、第６、第７のシールド板部が第１のシールド板部に押し付けられ、第１、第２のシェル同士の安定した接触が確保される。
【００１０】
請求項２の発明は、請求項１記載のコネクタ装置において、前記第６、第７のシールド板部のそれぞれは、前記第１のシールド板部側に向けて突出する接点がそれぞれ設けられていることを特徴とする。
【００１１】
請求項３の発明は、請求項１又は２記載のコネクタ装置において、前記押付用ばね手段が、前記第２のシールド板部に施された打抜き、折り曲げによって形成された板ばねであることを特徴とする。
【発明の効果】
【００１２】
この発明によれば、シェル同士の安定した接触を確保して接触不良を防ぐことができる。
【発明を実施するための最良の形態】
【００１３】
以下、この発明の実施の形態を図面に基づいて説明する。
【００１４】
図１はこの発明の一実施形態に係るコネクタ装置の接続前の状態を示す斜視図、図２は図１に示すプラグコネクタのシェルの斜視図、図３は図１に示すレセプタクルコネクタのシェルの斜視図、図４は図１に示すコネクタ装置の接続後の状態を示す断面図である。
【００１５】
図１、２に示すように、このコネクタ装置はプラグコネクタ（第１のコネクタ）３とレセプタクルコネクタ（第２のコネクタ）５とを備える。
【００１６】
プラグコネクタ３はシェル（第１のシェル）３１と図示しないハウジング（第１のハウジング）と図示しないピンコンタクトとで構成されている。
【００１７】
シェル３１はピンコンタクトを保持したハウジングを覆う。シェル３１は第１シェル部品３２と第２シェル部品３３とで構成されている。
【００１８】
第１シェル部品３２はシールド板部（第１のシールド板部）３２１とシールド板部（第２のシールド板部）３２２とシールド板部（第３のシールド板部）３２３とシールド板部（第４のシールド板部）３２４と結線部３２７と連結部３２８とを有する。第１シェル部品３２は１枚の金属板に打抜き加工と曲げ加工とを施すことにより形成されている。
【００１９】
シールド板部３２１は２つのシールド片３２１ａ，３２１ｂ同士を嵌め合わせることによって構成されている。シールド片３２１ａには凸部３２１ｃが形成され、シールド片３２１ｂには凹部３２１ｄが形成されている。凸部３２１ｃを凹部３２１ｄに嵌めることにより、シールド片３２１ａ，３２１ｂ同士が嵌め合わされる。シールド板部３２１は第１シェル部品３２の前側（ケーブル７側と反対側）に位置する。
【００２０】
シールド板部３２２はシールド板部３２１と対向する。シールド板部３２２の幅はシールド板部３２１の幅に等しいが、シールド板部３２２の長さ（嵌合離脱方向Ｄの長さ）はシールド板部３２１の長さの約倍である。
【００２１】
シールド板部３２３はシールド板部３２１の一側部とシールド板部３２２の一側部とを連結する。シールド板部３２３とシールド板部３２１又はシールド板部３２２とのなす角度はほぼ直角である。シールド板部３２３の長さはシールド板部３２２の長さに等しい。シールド板部３２３の後側部分（ケーブル７側の部分）には、後述の切欠３２４ａと同様な切欠（図示せず）が形成されている。
【００２２】
シールド板部３２４はシールド板部３２１の他側部とシールド板部３２２の他側部とを連結する。シールド板部３２４とシールド板部３２１又はシールド板部３２２とのなす角度はほぼ直角である。シールド板部３２４の長さはシールド板部３２２の長さに等しい。シールド板部３２４の後側部分（ケーブル７側の部分）には、切欠３２４ａが形成されている。
【００２３】
結線部３２７はほぼ円筒状であり、ケーブル７の一端部を保持するとともにケーブル７のシールド線（図示せず）に導通する。
【００２４】
連結部３２８はシールド板部３２２〜３２４と結線部３２７とを連結している。
【００２５】
シールド板部３２２の前側部分には２つの押圧ばね片（押付用ばね手段）３２５が打抜き加工と曲げ加工とを施すことにより形成されている。押圧ばね片３２５はシールド板部３２１に対向する。押圧ばね片３２５は嵌合離脱方向Ｄへ伸びており、シールド板部３２２の板厚方向へ弾性変形可能である。押圧ばね片３２５の先端部はシェル３１の内方へ所定量だけ突出している。
【００２６】
シールド板部３２２の中央部にはラッチ３２６が形成されている。ラッチ３２６は嵌合離脱方向Ｄへ伸びており、シールド板部３２２の板厚方向へ弾性変形可能である。ラッチ３２６の先端部はシェル３１の内方へ所定量だけ突出している。ラッチ３２６はシェル３１内に収容されたハウジングを係止する。
【００２７】
第２シェル部品３３はシールド板部３３１とシールド板部３３２とシールド板部３３３とカシメ部３３４と連結部３３５とを有する。第２シェル部品３３は第１シェル部品３２のシールド板部３２１の後側部分に配置される。第２シェル部品３３は１枚の金属板に打抜き加工と曲げ加工とを施すことにより形成されている。
【００２８】
シールド板部３３１は第１シェル部品３２のシールド板部３２２の後側部分に対向する。シールド板部３３１の幅はシールド板部３２２の幅よりもわずかに小さい。シールド板部３３１の長さはシールド板部３２２の後側部分（シールド板部３２１の後端からシールド板部５２２の後部）の長さにほぼ等しい。
【００２９】
シールド板部３３２はシールド板部３３１の一側部にほぼ直角に連結されている。シールド板部３３２の長さはシールド板部３３１の長さに等しい。
【００３０】
シールド板部３３３はシールド板部３３１の他側部にほぼ直角に連結されている。シールド板部３３３の長さはシールド板部３３１の長さに等しい。
【００３１】
カシメ部３３４はほぼ円筒状であり、かしめることによって第１シェル部品３２の結線部３２７に固定される。この結果、第２シェル部品３３は結線部３２７を介してケーブル７のシールド線に導通する。
【００３２】
連結部３３５はシールド板部３３１〜３３３とカシメ部３３４とを連結している。
【００３３】
シェル３１は図示しない樹脂製のカバーによって覆われる。
【００３４】
図１、３に示すように、レセプタクルコネクタ５はシェル（第２のシェル）５１とハウジング（第２のハウジング）５２と雌型コンタクト５３とで構成されている。
【００３５】
シェル５１は雌型コンタクト５３を保持したハウジング５２を覆う。シェル５１はシールド板部（第５のシールド板部）５１１とシールド板部（第６のシールド板部）５１２とシールド板部（第７のシールド板部）５１３とシールド板部５１４とを有する。シェル５１は１枚の金属板に打抜き加工と曲げ加工とを施すことにより形成されている。
【００３６】
シールド板部５１１はシェル５１の前側（プラグコネクタ３側）に位置する。
【００３７】
シールド板部５１２はシールド板部５１１の一側部にほぼ直角に連結されている。シールド板部５１２の長さはシールド板部５１１の長さの約２倍である。シールド板部５１２の前側部分の上端部には凸状の接点５１２ａが形成されている。
【００３８】
シールド板部５１３はシールド板部５１１の他側部にほぼ直角に連結されている。シールド板部５１３の長さはシールド板部５１１の長さの約２倍である。シールド板部５１３の前側部分の上端部には凸状の接点５１３ａが形成されている。
【００３９】
シールド板部５１４はシェル５１の後側（プラグコネクタ３側と反対側）に位置している。シールド板部５１４は２つのシールド片５１４ａ，５１４ｂ同士を嵌め合わせることによって構成されている。シールド片５１４ａはシールド板部５１２の後側部分の上端部に連結されている。シールド片５１４ｂはシールド板部５１３の後側部分の上端部に連結されている。シールド片５１４ａには凸部５１４ｃが形成され、シールド片５１４ｂには凹部５１４ｄが形成されている。凸部５１４ｃを凹部５１４ｄに嵌めることにより、シールド片５１４ａ，５１４ｂ同士が嵌め合わされる。
【００４０】
シールド板部５１１の後端にはグランド端子５１５がほぼ直角に連結されている。グランド端子５１５は図示しないプリント基板のグランドパターンに導通するスルーホールに挿入され、半田付けされる。
【００４１】
シールド板部５１２の後側部分（プラグコネクタ３側と反対側の部分）には、脚部５１６が連結されている。シールド板部５１３の後側部分（プラグコネクタ３側と反対側の部分）には、脚部５１７が連結されている。脚部５１６，５１７はプリント基板上に配置される。
【００４２】
シールド板部５１４には２つのラッチ５１８が形成されている。ラッチ５１８の先端部はシェル５１の外側へ所定量だけ突出している。
【００４３】
シェル５１は図示しない樹脂製のカバーによって覆われる。このカバーはラッチ５１８によってシェル５１に係止される。
【００４４】
ハウジング５２はほぼ板状であり、シェル５１によってその大部分を覆われ、保持される。ハウジング５２は受容空間５２１とコンタクト収容空間５２２とを有する。受容空間５２１は嵌合離脱方向Ｄへ伸びており、プラグコネクタ３のハウジングの先端部を受け容れる。コンタクト収容空間５２２は嵌合離脱方向Ｄへ伸び、受容空間５２１に通じている。
【００４５】
雌型コンタクト５３は端子部５３ａと図示しない接触部とを有する。端子部５３ａはハウジング５２の下面からほぼ直角に突出している。端子部５３ａはプリント基板の信号パターンに導通するスルーホールに半田付けされる。接触部は一対の板ばね片で構成され、プラグコネクタ３のピンコンタクトを挟む。この接触部はハウジング５２のコンタクト収容空間５２２内に配置されている。
【００４６】
レセプタクルコネクタ５のシールド板部５１４から前側部分がレセプタクルコネクタ５の嵌合部５Ａであり、レセプタクルコネクタ５の後側部分がレセプタクルコネクタ５の固定部５Ｂである。嵌合部５Ａはプラグコネクタ３のシェル３１に嵌合される。固定部５Ｂはプリント基板上に固定される。
【００４７】
プラグコネクタ３とレセプタクルコネクタ５とが対向する図１に示す状態から、プラグコネクタ３を嵌合離脱方向Ｄに沿ってレセプタクルコネクタ５の方へ移動させると、プラグコネクタ３のシェル３１内にレセプタクルコネクタ５の嵌合部５Ａが相対的に挿入される。このとき、図４に示すように、シェル３１の押圧ばね片３２５の弾力が作用して、シェル５１のシールド板部５１１がシールド板部３２１の方へ押圧され、シールド板部５１２，５１３の接点５１２ａ，５１３ａがシールド板部３２１に押しつけられる。したがって、レセプタクルコネクタ５に対してプラグコネクタ３が斜めに嵌合したとしても、シェル３１とシェル５１との接触が確実に確保される。
【００４８】
この実施形態によれば、レセプタクルコネクタ５に対してプラグコネクタ３が斜めに嵌合したとしても、シェル３１の押圧ばね片３２５の弾力が作用してシールド板部５１２，５１３の接点５１２ａ，５１３ａのシールド板部３２１に押しつけられるので、シェル３１とシェル５１との安定した接触を確保でき、接触不良を防ぐことができる。
【００４９】
また、シールド板部５１２，５１３に接点５１２ａ，５１３ａが形成されているので、シェル３１，５１同士のより確実な接触を確保することができる。
【００５０】
更に、レセプタクルコネクタ５の嵌合部５Ａに第４のシールド板部５１４を設けていないので、コネクタ装置の厚さを薄くすることができる。
【００５１】
なお、この実施形態では、プラグコネクタ３はケーブル用であり、レセプタクルコネクタ５はプリント基板用であるが、この発明の用途はこれに限られない。
【００５２】
また、この実施形態では押付用ばね手段として、シールド板部３２２に形成された板ばねである押圧ばね片３２５，３２５を採用したが、押圧ばね片３２５，３２５以外の押付用ばね手段を採用してもよい。
【図面の簡単な説明】
【００５３】
【図１】図１はこの発明の一実施形態に係るコネクタ装置の接続前の状態を示す斜視図である。
【図２】図２は図１に示すプラグコネクタのシェルの斜視図である。
【図３】図３は図１に示すレセプタクルコネクタのシェルの斜視図である。
【図４】図４は図１に示すコネクタ装置の接続後の状態を示す断面図である。
【符号の説明】
【００５４】
２  プラグコネクタ（第１のコネクタ）
５  レセプタクルコネクタ（第２のコネクタ）
３１  シェル（第１のシェル）
３２１  シールド板部（第１のシールド板部）
３２２  シールド板部（第２のシールド板部）
３２３  シールド板部（第３のシールド板部）
３２４  シールド板部（第４のシールド板部）
３２５  押圧ばね片（押付用ばね手段）
５  レセプタクルコネクタ（第２のコネクタ）
５１  シェル（第２のシェル）
５１１  シールド板部（第５のシールド板部）
５１２  シールド板部（第６のシールド板部）
５１３  シールド板部（第７のシールド板部）
５２  ハウジング（第２のハウジング）
【図１】
2008300119.tif 000003
【図２】
2008300119.tif 000004
【図３】
2008300119.tif 000005
【図４】
2008300119.tif 000006
【手続補正書】
【提出日】平成19年6月4日(2007.6.4)
【手続補正１】
【補正対象書類名】明細書
【補正対象項目名】００２８
【補正方法】変更
【補正の内容】
【００２８】
シールド板部３３１は第１シェル部品３２のシールド板部３２２の後側部分に対向する。シールド板部３３１の幅はシールド板部３２２の幅よりもわずかに小さい。シールド板部３３１の長さはシールド板部３２２の後側部分（シールド板部３２１の後端からシールド板部３２２の後部）の長さにほぼ等しい。